(57)【要約】      （修正有）【課題】閲覧者にとって関心の高く、高い広告効果を奏する広告及び、実際の商品の印象との差異が少ない広告を公開するシステムを提供する。【解決手段】依頼者から広告依頼をされ、且つ登録された登録商品に対する広告を管理し公開するサーバ１と、前記広告を該サーバに提供するための広告提供者端末３と、該サーバで管理する広告を閲覧する閲覧者端末４とが接続された広告公開システムであり、サーバ１が、広告提供者端末３から提供された広告を受信する受信手段１２と、閲覧者端末からの要求に応じて該広告を公開する公開手段１３と、閲覧者端末に対して広告についての評価を求める評価要求手段１４と、評価を集計し総合的な評価を決定する評価決定手段１５と、決定された評価に基づきて広告を加工する加工手段１７と、決定された総合的な評価に応じ広告提供者に対する報酬を決定する報酬決定手段１８を有する。【選択図】図１
2009015593.tif 000002
【特許請求の範囲】
【請求項１】
依頼者から広告依頼をされ、且つ登録された登録商品に対する広告を管理し公開するサーバと、前記広告を該サーバに提供するための広告提供者端末と、該サーバで管理する広告を閲覧する閲覧者端末とがネットワークを介して接続されてなる広告公開システムであって、
前記サーバが、
前記広告提供者端末から提供された前記広告を受信する受信手段と、
前記閲覧者端末からの要求に応じて、該広告を公開する公開手段と、
前記閲覧者端末に対して閲覧した該広告についての評価を求める評価要求手段と、
前記評価要求手段により得られた評価を集計し総合的な評価を決定する評価決定手段と、
該評価決定手段により決定された評価に基づいて該広告を加工する加工手段と、
該評価決定手段により決定された総合的な評価に応じて広告提供者に対する報酬を決定する報酬決定手段を有することを特徴とする広告公開システム。
【請求項２】
前記サーバが、該サーバから送信された広告を受信し公開する代理公開端末とネットワークを介して接続されるとともに、
前記広告提供者端末から提供された広告から、前記評価決定手段により決定された評価に基づき特定の広告を選別し、該選別された広告を該代理公開端末に送信する送信手段を有することを特徴とする請求項１記載の広告公開システム。
【請求項３】
前記代理公開手段で公開する広告が、該広告の商品に対して広告依頼をした依頼者の端末とリンクするバナー広告であることを特徴とする請求項２記載の広告公開システム。
【請求項４】
前記広告が前記登録商品以外の商品に対する広告も含むことを特徴とする請求項１乃至３いずれか記載の広告公開システム。
【請求項５】
前記公開手段が、前記広告提供者端末から提供された広告を予め定められたカテゴリごとに分類し、該カテゴリごとに公開することを特徴とする請求項１乃至４いずれか記載の広告公開システム。
【請求項６】
前記公開手段が、前記登録商品に対する広告と該登録商品以外の商品に対する広告を異なるカテゴリに分類し、公開することを特徴とする請求項４記載の広告公開システム。
【請求項７】
前記報酬決定手段が、前記評価決定手段により決定された総合的な評価が一定以上の広告を提供した広告提供者に対して、一定期間ごとに抽選で報酬を決定することを特徴とする請求項１乃至６いずれか記載の広告公開システム。
【請求項８】
前記報酬決定手段が前記登録商品以外の商品に対する広告について報酬の決定を行わないことを特徴とする請求項４乃至７いずれか記載の広告公開システム。
【請求項９】
前記処理手段が、
提供されてから一定期間以上経過し、且つ前記評価決定手段により得られた総合的な評価が一定以下の前記登録商品の広告と、
提供されてから前記一定期間より短い期間経過した該登録商品以外の商品に対する広告とを削除することを特徴とする請求項４乃至８いずれか記載の広告公開システム。
【請求項１０】
前記報酬決定手段により決定された報酬が、前記サーバの管理者から前記広告提供者に前記依頼者を介さず与えられることを特徴とする請求項１乃至９いずれか記載の広告公開システム。
【請求項１１】
依頼者から広告依頼をされた登録商品に対する広告を公開する広告公開方法であって、
登録商品に対して広告提供者により提供された広告を受信するステップと、
該広告を公開するステップと、
該広告を閲覧した閲覧者に対して閲覧した該広告についての評価を求めるステップと、
該閲覧者に求めた評価を集計し総合的な評価を決定するステップと、
該総合的な評価に基づいて該広告を加工するステップと、
総合的な評価に応じて報酬を決定し、広告提供者に報酬を付与するステップとを有することを特徴とする広告公開方法。
【請求項１２】
依頼者から広告依頼をされた登録商品に対する広告を管理し公開することをコンピュータで実現するためのプログラムであって、
広告提供者により提供された広告を受信する受信手段と、
該広告を公開する公開手段と、
該公開手段により公開された広告を閲覧した閲覧者に対して該広告についての評価を求める評価要求手段と、
該評価要求手段により得られた評価を集計し総合的な評価を決定する評価決定手段と、
該評価決定手段により決定された総合的な評価に基づいて該広告を加工する加工手段と、
該評価決定手段により決定された総合的な評価に応じて広告提供者に対する報酬を決定する報酬決定手段をコンピュータで実現するためのプログラム。
【発明の詳細な説明】
【技術分野】
【０００１】
本発明は、消費者等が作成した広告により商品の広告を行う広告公開システム、広告公開方法及び広告公開プログラムに関する。
【背景技術】
【０００２】
近年、企業等が自社の広告を公開するツールとしてインターネット等のネットワークが活用されている。
ネットワークを利用した広告の公開方法としては、各企業等が自社の端末でホームページ等を開設し、自社のホームページで広告を公開する方法が挙げられる。しかしながら、当該方法では、広告の閲覧者はそのホームページを運営する企業の商品の広告しか見ることができない。そのため、実際に商品を選ぶ際、他の商品との比較が困難であるという問題を有していた。
【０００３】
そこで、一つの端末でホームページを開設し、その端末に複数の企業から商品の広告を集めることにより、様々な商品の広告をまとめて公開する広告公開システムが開示されている（例えば、下記特許文献１参照）。
当該広告公開システムを用いることにより、広告の閲覧者は複数の企業の商品の広告を一つの端末内で閲覧することができ、実際に商品を選ぶ際、様々な商品を容易に比較することが可能である。
【０００４】
しかしながら、これらの広告はテレビや新聞等の他の媒体で公開されたものを当該システム用に変更した程度のものに過ぎない場合が多く、目新しいものでない場合が多かった。そのため、閲覧者にとって関心が低いものとなり、広告効果があまり高くないという問題が生じていた。
また、これらの広告は企業等が自社で作成したり、広告作成業者に依頼して作成したりしたものであるため、企業の意向が強く現れるものとなっている。そのため、商品の効果を誇張したり欠点を隠したりしたものになりがちで、実際の商品の印象を正確に伝えることができないという問題も生じていた。
【０００５】
【特許文献１】特開２００３−１２２７９０号公報
【発明の開示】
【発明が解決しようとする課題】
【０００６】
本発明は上記現状に鑑みてなされたものであり、閲覧者にとって関心の高い広告を提供し、高い広告効果を奏する広告を公開することができる広告公開システム、広告公開方法及び広告公開プログラムを提供することを解決課題とする。
また、実際の商品の印象との差異が少ない広告を公開することのできる広告公開システム、広告公開方法及び広告公開プログラムを提供することも解決課題とする。
【課題を解決するための手段】
【０００７】
請求項１に係る発明は、依頼者から広告依頼をされ、且つ登録された登録商品に対する広告を管理し公開するサーバと、前記広告を該サーバに提供するための広告提供者端末と、該サーバで管理する広告を閲覧する閲覧者端末とがネットワークを介して接続されてなる広告公開システムであって、前記サーバが、前記広告提供者端末から提供された前記広告を受信する受信手段と、前記閲覧者端末からの要求に応じて、該広告を公開する公開手段と、前記閲覧者端末に対して閲覧した該広告についての評価を求める評価要求手段と、前記評価要求手段により得られた評価を集計し総合的な評価を決定する評価決定手段と、該評価決定手段により決定された評価に基づいて該広告を加工する加工手段と、該評価決定手段により決定された総合的な評価に応じて広告提供者に対する報酬を決定する報酬決定手段を有することを特徴とする広告公開システムに関する。
【０００８】
請求項２に係る発明は、前記サーバが、該サーバから送信された広告を受信し公開する代理公開端末とネットワークを介して接続されるとともに、前記広告提供者端末から提供された広告から、前記評価決定手段により決定された評価に基づき特定の広告を選別し、該選別された広告を該代理公開端末に送信する送信手段を有することを特徴とする請求項１記載の広告公開システムに関する。
【０００９】
請求項３に係る発明は、前記代理公開手段で公開する広告が、該広告の商品に対して広告依頼をした依頼者の端末とリンクするバナー広告であることを特徴とする請求項２記載の広告公開システムに関する。
【００１０】
請求項４に係る発明は、前記広告が前記登録商品以外の商品に対する広告も含むことを特徴とする請求項１乃至３いずれか記載の広告公開システムに関する。
【００１１】
請求項５に係る発明は、前記公開手段が、前記広告提供者端末から提供された広告を予め定められたカテゴリごとに分類し、該カテゴリごとに公開することを特徴とする請求項１乃至４いずれか記載の広告公開システムに関する。
【００１２】
請求項６に係る発明は、前記公開手段が、前記登録商品に対する広告と該登録商品以外の商品に対する広告を異なるカテゴリに分類し、公開することを特徴とする請求項４記載の広告公開システムに関する。
【００１３】
請求項７に係る発明は、前記報酬決定手段が、前記評価決定手段により決定された総合的な評価が一定以上の広告を提供した広告提供者に対して、一定期間ごとに抽選で報酬を決定することを特徴とする請求項１乃至６いずれか記載の広告公開システムに関する。
【００１４】
請求項８に係る発明は、前記報酬決定手段が前記登録商品以外の商品に対する広告について報酬の決定を行わないことを特徴とする請求項４乃至７いずれか記載の広告公開システムに関する。
【００１５】
請求項９に係る発明は、前記処理手段が、提供されてから一定期間以上経過し、且つ前記評価決定手段により得られた総合的な評価が一定以下の前記登録商品の広告と、提供されてから前記一定期間より短い期間経過した該登録商品以外の商品に対する広告とを削除することを特徴とする請求項４乃至８いずれか記載の広告公開システムに関する。
【００１６】
請求項１０に係る発明は、前記報酬決定手段により決定された報酬が、前記サーバの管理者から前記広告提供者に前記依頼者を介さず与えられることを特徴とする請求項１乃至９いずれか記載の広告公開システムに関する。
【００１７】
請求項１１に係る発明は、依頼者から広告依頼をされた登録商品に対する広告を公開する広告公開方法であって、登録商品に対して広告提供者により提供された広告を受信するステップと、該広告を公開するステップと、該広告を閲覧した閲覧者に対して閲覧した該広告についての評価を求めるステップと、該閲覧者に求めた評価を集計し総合的な評価を決定するステップと、該総合的な評価に基づいて該広告を加工するステップと、総合的な評価に応じて報酬を決定し、広告提供者に報酬を付与するステップとを有することを特徴とする広告公開方法に関する。
【００１８】
請求項１２に係る発明は、依頼者から広告依頼をされた登録商品に対する広告を管理し公開することをコンピュータで実現するためのプログラムであって、広告提供者により提供された広告を受信する受信手段と、該広告を公開する公開手段と、該公開手段により公開された広告を閲覧した閲覧者に対して該広告についての評価を求める評価要求手段と、該評価要求手段により得られた評価を集計し総合的な評価を決定する評価決定手段と、該評価決定手段により決定された総合的な評価に基づいて該広告を加工する加工手段と、該評価決定手段により決定された総合的な評価に応じて広告提供者に対する報酬を決定する報酬決定手段をコンピュータで実現するためのプログラムに関する。
【発明の効果】
【００１９】
請求項１に係る発明によれば、サーバが広告をサーバに提供する広告提供者端末と、サーバで管理する広告を閲覧する閲覧者端末がネットワークを介して接続され、サーバが広告提供者端末から提供された広告を受信する受信手段と、閲覧者端末からの要求に応じて、広告を公開する公開手段を有することにより、実際に商品を利用した一般消費者からの広告を受信することができ、実際の商品の印象との差異が少ない広告を公開することができる。さらに、一般消費者等の広告提供者が広告を作成することになるため、広告が目新しくなり、閲覧者にとって関心の高い広告となるため、高い広告効果を奏することができる。
また、閲覧者端末に対して閲覧した該広告についての評価を求める評価要求手段と、評価要求手段により得られた評価を集計し、総合的な評価を決定する評価決定手段と、評価決定手段により決定された評価に基づいて広告を加工する加工手段を有することにより、広告提供者は自己の評価を向上させるために、よりよい広告を作成しようとする。そのため、閲覧者にとってさらに関心の高い広告となり、広告効果をさらに高めることができる。
さらに、評価決定手段により決定された総合的な評価に応じて広告提供者に対する報酬を決定する報酬決定手段を有することにより、広告提供者は報酬を目的によりよい広告を作成しようとし、閲覧者にとって関心の高い広告となり、広告効果をより高めることができる。
【００２０】
請求項２に係る発明によれば、サーバがサーバから送信された広告を受信し公開する代理公開端末とネットワークを介して接続され、サーバが広告提供者端末から提供された広告から、評価決定手段により決定された評価に基づき特定の広告を選別し、選別された広告を該代理公開端末に送信する送信手段を有することにより、閲覧者の関心の高い広告をサーバ以外の端末（代理公開端末）でも公開することができるので、広告効果をより向上させることができる。
【００２１】
請求項３に係る発明によれば、代理公開手段で公開する広告が、広告の商品に対して広告依頼をした依頼者の端末とリンクするバナー広告であることにより、閲覧者が広告をみてより詳しい情報を知りたい場合、広告の対象となる商品の詳しい情報を掲載している依頼者の端末に容易に接続することができる。
【００２２】
請求項４に係る発明によれば、広告が登録商品以外の商品に対する広告も含むことにより、閲覧者は多くの商品の広告を閲覧することができる。
【００２３】
請求項５に係る発明によれば、公開手段が、広告提供者端末から提供された広告を予め定められたカテゴリごとに分類し、カテゴリごとに公開することにより、閲覧者が商品の広告を検索しやすくすることができる。
【００２４】
請求項６に係る発明によれば、公開手段が、登録商品に対する広告と登録商品以外の商品に対する広告を異なるカテゴリに分類し、公開することにより、登録商品以外の商品が登録商品に比して検索しにくくなるため、登録商品とそれ以外の商品の広告効果に差を設けることができる。それにより、登録商品以外の商品の取り扱い業者は、当該商品を登録商品としたくなるため、登録を促すことができる。
【００２５】
請求項７に係る発明によれば、報酬決定手段が、評価決定手段により決定された総合的な評価が一定以上の広告を提供した広告提供者に対して、一定期間ごとに抽選で報酬を決定することにより、上位になれば必ず報酬が与えられるわけではないため、評価を上位にして報酬を得る目的で、広告提供者自身が自己の作成した広告を何度も閲覧して自己の広告の評価を高めようとすることを防ぐことができる。さらに、報酬が与えられるのは一定評価以上の者のみであるため、報酬を与えることにより生じる広告作成意欲が惹起されるという効果は失われない。
【００２６】
請求項８に係る発明によれば、報酬決定手段が登録商品以外の商品に対する広告について報酬の決定を行わないことにより、登録商品以外の商品に広告を提供しても報酬を得ることができないため、登録商品以外の広告は提供されにくくなる。それにより、登録商品とそれ以外の商品で広告効果に大きな差が生じ、登録商品以外の商品の取り扱い業者に対して当該商品の登録を促す要因となる。
【００２７】
請求項９に係る発明によれば、加工手段が、提供されてから一定期間以上経過し、且つ評価決定手段により得られた総合的な評価が一定以下の登録商品の広告と、提供されてから前記一定期間より短い期間経過した登録商品以外の商品に対する広告とを削除することにより、保存手段の容量を確保することができる。
また、登録商品の広告について、評価決定手段により得られた総合的な評価が一定以下の登録商品の広告を削除することにより、評価の高い広告は長い期間残すことができ、広告効果を高い状態で維持することができる。
さらに、登録商品以外の商品に対する広告について、削除される期間が前記一定期間（登録商品の広告が削除される期間）より短いことにより、広告提供者の登録商品以外の広告に対する広告提供意欲が低下し、登録商品とそれ以外の商品で広告効果に大きな差が生じることとなる。そのため、登録商品以外の商品の取り扱い業者に対して当該商品の登録を促す要因となる。
【００２８】
請求項１０に係る発明によれば、報酬決定手段により決定された報酬が、サーバの管理者から広告提供者に依頼者を介さず与えられることにより、依頼者が報酬の提供に関与する必要がなくなり、広告依頼を行った後の依頼者の作業を軽減することができる。また、報酬決定手段により決定した広告を依頼者へ報告する作業も省くことができる。
【００２９】
請求項１１に係る発明によれば、登録商品に対して広告提供者により提供された広告を受信するステップと、該広告を公開するステップを有することにより、実際に商品を利用した一般消費者からの広告を受信することができ、実際の商品の印象との差異が少ない広告を公開することができる。さらに、様々な広告を得ることができ、閲覧者にとって関心の高い広告となるため、高い広告効果を奏することができる。
また、広告を閲覧した閲覧者に対して閲覧した該広告についての評価を求めるステップと、閲覧者に求めた評価を集計し、総合的な評価を決定するステップと、該総合的な評価に基づいて該広告を加工するステップとを有することにより、広告提供者はよりよい広告を作成しようとするため、閲覧者にとってさらに関心の高い広告となり、広告効果をさらに高めることができる。
さらに、総合的な評価に応じて報酬を決定し、広告提供者に報酬を付与するステップを有することにより、広告提供者はよりよい広告を作成しようとし、閲覧者にとって関心の高い広告となり、広告効果をより高めることができる。
【００３０】
請求項１２に係る発明によれば、広告提供者により提供された広告を受信する受信手段と、該広告を公開する公開手段をコンピュータで実現させることにより、実際に商品を利用した一般消費者からの広告を受信することができ、実際の商品の印象との差異が少ない広告を公開することができる。さらに、一つの商品に対して様々な広告が提供され、閲覧者にとって関心の高い広告も存在することとなり、高い広告効果を奏することができる。
また、公開手段により公開された広告を閲覧した閲覧者に対して閲覧した広告についての評価を求める評価要求手段と、評価要求手段により得られた評価を集計し、総合的な評価を決定する評価決定手段と、該評価決定手段により決定された総合的な評価に基づいて該広告を加工する加工手段をコンピュータで実現させることにより、広告提供者はよりよい広告を作成しようとするので、広告効果をさらに高めることができる。
評価決定手段により決定された総合的な評価に応じて広告提供者に対する報酬を決定する報酬決定手段をコンピュータで実現させることにより、広告提供者はよりよい広告を作成しようとし、閲覧者にとって関心の高い広告となり、広告効果をより高めることができる。
【発明を実施するための最良の形態】
【００３１】
以下に、本発明の実施例について、図面を参照しつつ説明する。
【００３２】
図１は本発明に係る広告公開システムの実施例を示すシステム構成図である。
図１に示す広告公開システム（１００）は、サーバ（１）が依頼者端末（２）、広告提供者端末（３）、閲覧者端末（４）、代理公開端末（５）とネットワークを介して接続されている。なお、図示の都合上、依頼者端末（２）、広告提供者端末（３）、閲覧者端末（４）、代理公開端末（５）は一つずつ示されているが、実際は複数の端末があり、夫々がネットワークを介してサーバ（１）と接続されている。
【００３３】
サーバ（１）は広告を管理し、ホームページを開設する等して公開するためのコンピュータである。サーバ（２）は、ＣＰＵが、メモリ又は外部記憶装置等に記憶された所定のプログラムを実行することにより、広告を提供するものであり、登録商品受付手段（１１）、受信手段（１２）、公開手段（１３）、評価要求手段（１４）、評価決定手段（１５）、保存手段（１６）、加工手段（１７）、報酬決定手段（１８）、送信手段（１９）を有する。詳しくは後に述べる。
【００３４】
依頼者端末（２）は、サーバ（１）に対して特定の商品を広告するよう広告依頼を行う依頼者（広告依頼者）の端末である。
依頼者端末（２）はキーボード等の依頼者入力手段（２１）と外部機器と通信するための依頼者送受信手段（２２）を有し、依頼者入力手段（２１）で広告依頼する商品を入力し、依頼者送受信手段（２２）によりネットワークを介してサーバ（１）に送信する。
依頼者端末（２）により広告依頼された商品は登録商品としてサーバ（１）の保存手段（１６）に登録され、公開手段（１３）により公開される。
例えば、メーカー等が依頼者となり、自社の端末（依頼者端末（２））からサーバ（１）に対して自社の商品についての広告依頼を行う。ここで、広告依頼は有体物に対する広告依頼に限られず、旅行会社が自社のツアーについて広告依頼を行ってもよいし、事業協同組合等が地域の観光スポットについて広告依頼を行ってもよい。
【００３５】
広告提供者端末（３）は依頼者端末（２）により依頼された登録商品に対する広告を提供する広告提供者の端末であり、商品の広告を入力するための依頼者入力手段（３１）と外部機器と通信するための依頼者送受信手段（３２）を有する。
広告提供者はサーバ（１）に登録されている登録商品に対して広告を作成し、作成した広告を提供者入力手段（３１）により入力して、提供者送受信手段（３２）を用いてネットワークを介してサーバ（１）に提供する。提供者入力手段（３１）としては、キーボードやカメラ等が挙げられ、これらを用いてコメントや商品の写真等を含む広告を入力する。
広告提供者としては一般消費者が好ましい。広告提供者を一般消費者とすることで、実際に使用した体験が反映され、大げさな広告や欠点を隠した広告を減らすことができる。但し、広告提供者としては一般消費者に限るわけではなく、広告代理店やクリエーター等の広告作成業者でもよい。
また、広告提供者端末（３）は登録商品以外の商品に対する広告も提供することができる。これにより、サーバ（１）は多くの商品を公開することができる。
広告提供者端末（３）としてはデスクトップ型ＰＣ等のコンピュータの他、携帯電話や個人用携帯情報端末（ＰＤＡ）等のモバイル端末等を挙げることができる。
特にモバイル端末を利用可能とすることにより、広告提供者は手軽に広告を作成し提供することができるため、サーバ（１）には多くの広告が提供されることとなり好ましい。多くの広告が提供されることで、閲覧者の関心の高い広告も集まりやすく、広告効果が向上するからである。
【００３６】
閲覧者端末（４）はサーバ（１）にアクセスして公開している商品の広告を閲覧する閲覧者の端末であり、外部端末と通信するための閲覧者送受信手段（４２）を有する。閲覧者はサーバ（１）内に管理されている商品の広告等の情報を閲覧者送受信手段（４２）で受信し、ディスプレイ等の表示部に表示させることにより閲覧する。
また、閲覧者端末（４）は評価要求手段（１４）により要求された評価要求に応じて閲覧者が評価を入力する閲覧者入力手段（４２）も有する。閲覧者入力手段（４２）で入力された情報は閲覧者送信手段（４２）によりサーバ（１）に送信される。
閲覧者端末（４）としては、デスクトップ型ＰＣ等のコンピュータの他、携帯電話や個人用携帯情報端末（ＰＤＡ）等のモバイル端末等を挙げることができる。
【００３７】
代理公開端末（５）はサーバ（１）に管理されている広告のうちから選別された広告を広告するための端末であり、サーバ（１）の送信手段（１９）により送られた広告を受信する代理公開端末受信手段（５１）と代理広告端末受信手段（５１）で受信した広告を公開するための代理公開手段（５２）を有する。代理公開端末（５）を有することで、広告提供者端末（２）により提供された広告をサーバ（１）以外（代理公開端末（５））でも公開することができ、広告効果をより向上させることができる。
【００３８】
次いで、サーバ（１）が有する登録商品受付手段（１１）、受信手段（１２）、公開手段（１３）、評価要求手段（１４）、評価決定手段（１５）、保存手段（１６）、加工手段（１７）、報酬決定手段（１８）、送信手段（１９）について詳しく説明することで、サーバ（１）について説明する。また、サーバ（１）を説明することで、同時に、本発明に係るプログラムについても説明する。
なお、サーバ（１）における各手段（１１〜１９）は単一のコンピュータより構成されるものであってもよいし、ネットワーク上に分散した複数のコンピュータより構成されるものであってもよい。
【００３９】
登録商品受付手段（１１）は依頼者端末（２）からの広告依頼を受け付けるための手段である。依頼された広告は登録商品として保存手段（１６）に登録され、公開される。
受信手段（１２）は広告提供者端末（３）から提供された広告を受信するための手段であり、受信手段（１２）により受信した広告に加工手段（１７）等で一定の加工を施す。
公開手段（１３）とは他の端末（閲覧者端末（４）等）に情報を送信し、公開するための手段であり、加工手段（１７）により加工された広告も閲覧者端末（４）からの要求に応じて公開手段（１３）により公開される。また、登録商品も公開手段（１３）により公開される。なお、図１では公開手段（１３）は閲覧者端末（４）とのみ接続されているが、他の端末に情報を公開する場合は当該他の端末とも当然接続されている。
【００４０】
評価要求手段（１４）は閲覧者が広告を閲覧した際、閲覧者に対して広告の内容に対する評価を求めるための手段である。具体的には、公開手段（１３）により評価要求手段（１４）による評価を公開することで、閲覧者に評価を求める。
評価要求手段（１４）による評価方法としては、広告に対して点数を要求する方法を挙げることができる。また、点数とともに広告に対するコメントを要求することもできる。
【００４１】
評価決定手段（１５）は評価要求手段（１４）により得られた各閲覧者端末からの評価を集計し、広告に対する総合的な評価（以下、総合評価と称す）を決定するための手段である。
【００４２】
また、保存手段（１６）はサーバ（１）が所有する情報を管理するための手段であり、評価決定手段（１５）が各広告に対して評価を集計する際等に利用される。具体的には、広告提供者端末（３）から提供された広告、当該広告の評価、広告提供者や依頼者の識別情報等が保存される。また、保存手段（１６）では、情報ごとに保存する領域が分けられている。保存手段（１６）内の保存領域としては、登録商品の情報を保存する商品保存領域、提供された広告を保存する広告保存領域、評価決定手段（１５）による総合評価を保存する総合評価保存領域、広告提供者の識別情報を保存する提供者識別情報保存領域、閲覧者の識別情報を保存する閲覧者識別情報識別領域等を挙げることができる。
保存手段（１６）としては、ハードディスクやＭＯ、ＣＤ−ＲＷ、ＤＶＤ−ＲＷ等を挙げることができる。また、保存領域ごとに保存用の媒体を設ける等して複数の媒体で保存手段（１６）を構成してもよい。
【００４３】
加工手段（１７）は評価決定手段（１５）により決定した総合評価に基づいて広告を加工するためものであり、加工された広告は公開手段（１３）により公開される。
加工の方法としては、例えば、総合評価に応じて順位付けがなされ、順位の高いものから順に公開するよう加工する方法を挙げることができる。
提供された広告が総合評価に応じて加工され、公開されることにより、広告提供者は自己の評価を向上させようとするため、広告作成の意欲が惹起される。そのため、広告の提供がさらに増えることとなる。また、広告提供者は評価の高い広告を提供しようとするため、掲載する広告の質が向上し、閲覧者の関心の高い広告を数多く公開することができる。それにより広告効果が向上する。
【００４４】
報酬決定手段（１８）は評価決定手段（１５）により得られた総合評価に基づいて各広告提供者に与える報酬を決定するためのものである。そして、報酬決定手段（１８）により決定された報酬が依頼者端末（２）の依頼者送受信手段（２２）に送信されることで、依頼者に報酬の情報が報告され、依頼者から広告提供者へ報酬が与えられる。
【００４５】
送信手段（１９）は、評価決定手段（１５）により得られた総合評価に基づき、広告提供者端末（３）から提供された広告のうちから特定の広告を選別し、代理公開端末（５）の代理公開端末（５１）に送信するものである。送信された広告は代理公開端末（５）の代理公開手段（５２）により公開される。
具体的には、総合評価が上位の広告を代理公開端末に送信する。これにより、関心の高い広告をサーバ（１）だけでなく、他の端末（代理公開端末（５））でも公開することができ、広告効果をより向上させることができる。
【００４６】
次いで、広告公開システム（１００）における動作方法を説明することにより、本発明に係る広告提供方法についても説明する。
図２は広告提供方法を示すフロー図であり、図中ａ〜ｉは当該提供方法の各ステップを示している。図３，４は商品を選択する際の操作を説明するための説明図であり、図５，６は広告を公開した画面の例を示す図である。
以下、図１，２を基本とし、適宜図３乃至６を用いて説明する。
【００４７】
広告公開システム（１００）では、サーバ（１）の登録商品受付手段（１１）が依頼者端末（２）から広告を希望する商品等について広告依頼を受ける（ステップａ）。具体的には依頼者が依頼者入力手段（２１）により依頼する商品を入力し、依頼者送受信端末（２２）を用いてサーバ（１）へ送信する。
そして、サーバ（１）の登録商品受付手段（１１）が依頼者送受信手段（２２）からの情報を受信し、広告依頼を受けた商品を登録商品として保存手段（１６）の商品保存領域に保存（登録）し、公開手段（１３）により商品保存領域に保存されている登録商品の情報を読み出して公開する（ステップｂ）。
なお、本実施例では依頼者端末とサーバがネットワークを介して接続されており、広告の依頼もネットワークを介して行っているが、本発明において、広告依頼はネットワークを介して行う方法に限定されるわけではない。例えば、書類や口頭により広告依頼を行ってもよい。
【００４８】
一方、広告を提供する広告提供者はサーバ（１）が公開した登録商品についての広告を作成し、自己の端末（広告提供者端末（３））からサーバ（１）へ作成した広告を提供する（ステップｃ）。具体的には、提供者入力手段（３１）を用いて作成した広告を入力し、提供者送受信手段（３２）によりサーバ（１）の受信手段（１２）へ作成した広告を送信する。また、登録商品以外の商品についても広告を作成し、提供する。そして、提供された広告は、保存手段（１６）の広告保存領域に保存される。
このとき、提供者送受信手段（３２）から送られた広告は、サーバ（１）が決定したジャンル、提供者（企業）、商品、値段、サイズ等に応じたカテゴリに分類して提供され、受信手段（１２）により受信される。具体的には、広告提供者が広告を提供する際、広告提供者端末（３）にカテゴリごとに分類された商品を表示し、広告提供者は対応するカテゴリを選択して広告を提供できるように設定する。例えば、図３で示す如く、カテゴリを、全広告を対象として分類した第一ジャンル（７１）、第一ジャンル（７１）ごとにより細かく分類した第二ジャンル（７２）、第二ジャンル（７２）ごとに提供者別で分類した提供者名（７３）、提供者ごとに商品別で分類した商品名（７４）の４つのカテゴリを設ける。そして、広告提供者は第一ジャンル（７１）の中から広告を提供したいジャンルを選択し、続けて、第二ジャンル（７２）、提供者名（７３）、商品名（７４）と選択し、広告を提供したい商品を選んで広告を提供する。これにより、広告の分類を容易に行うことができ、広告を公開する際も希望の広告を容易に検索できるようにすることができる。
また、登録商品とそれ以外の商品について、異なるカテゴリに分類してもよい。これにより、登録商品とそれ以外の商品について異なる処理を容易に行うことができる。
【００４９】
また、作成する広告の形式は特に限定されず、商品についての感想や評価等のコメント、写真、漫画等が挙げられる。広告の形式を限定しないことにより、多様な広告が作成されることになり、閲覧者の関心も高くなるため、広告効果が向上する。また、多様な広告が公開されることで、広告のアイデアも多様なものとなり、その後提供される広告の質を向上させる要因ともなる。
また、予めフォーマットを作成し、公開手段（１３）で公開しておいて、そのフォーマットに広告提供者が記載することで広告を作成するようにしてもよい。これにより広告提供者は容易に広告を作成することができ、提供される広告数を増加させることができる。
【００５０】
また、広告の提供と同時に、広告提供者の識別情報を取得しておくことが好ましい。広告提供者の識別情報を取得することにより後に報酬を付与するとき等に利用することができる。
具体的には、広告の提供を受ける際に、自己の識別情報を入力するように設定すればよい。また、一度識別情報を入力した広告提供者にはパスワードを発行し、再度広告を提供する際には改めて識別情報を入力しなくてもよいように設定することもできる。
広告提供者の識別情報としては、広告提供者端末のメールアドレスやＩＰアドレス、広告提供者自身の住所、氏名、性別、年齢等が挙げられる。なお、識別情報は、広告保存領域に保存されている広告と関連付けて保存手段（１６）の提供者識別情報保存領域に保存すればよい。
【００５１】
広告提供者端末（３）から提供された広告は公開手段（１３）により公開される（ステップｄ）。具体的には、保存手段（１６）の広告保存領域に保存されている広告を公開手段（１３）により読み出すことで公開する。
このとき、受信手段（１２）と同様に、公開手段（１３）でもカテゴリごとに分類されて公開される。具体的にはカテゴリごとに分類されて受信した広告を、カテゴリに分類した状態で保存手段（１６）の広告保存領域に保存し、そのまま公開手段（１３）により公開すればよい。これにより、希望の広告を容易に検索できるようにすることができる。例えば、図３に示す如く、第一ジャンル（７１）、第二ジャンル（７２）、提供者名（７３）、商品名（７４）の４つのカテゴリを設ける場合、閲覧者は第一ジャンル（７１）の中から閲覧したい広告に該当するジャンルを選択し、続けて、第二ジャンル（７２）、提供者名（７３）、商品名（７４）と選択することで目的の商品の広告を容易に検索することができる。
また、登録商品については商品ごとにカテゴリを設けて分類し、登録商品以外の商品については、例えば「その他」のカテゴリを設けてまとめて分類することが好ましい。そして、「その他」のカテゴリについて、登録商品に対するカテゴリほど詳細な分類を行わないように設定する。例えば、図４に示す如く「その他」のカテゴリを選択した場合は、第一ジャンル（８１）、第二ジャンル（８２）までは分類されるが、提供者名や商品名のカテゴリには分類されないように設定する。つまり、登録商品とそれ以外の商品のカテゴリによる分類の方法に違いを設ける。これにより、登録商品は詳細な分類のカテゴリを用いて、容易に登録商品についての広告を検索することができるのに対し、登録商品以外の商品は登録商品に比して詳細でないカテゴリしか用いることができず、閲覧者が商品を検索することが困難となる。
つまり、登録商品とそれ以外の商品で検索の容易さが異なるため、広告効果に大きな差が生じる。
このように同一の端末で公開された広告であるのにも関わらず、登録商品であるか否かにより広告効果の差が生じることは、商品の売り上げにも影響するため、登録商品以外の商品を取扱う業者にとっては好ましくない。そのため、登録商品以外を取扱う業者は、自己の取扱う商品についても広告依頼を行いたいと考えるようになり、広告依頼を促す要因となる。これにより、広告依頼が増加し、登録商品も増加するので、閲覧者の満足度も向上する。
【００５２】
ステップｄで公開された広告は、閲覧者送受信手段（４２）で受信され、ディスプレイ等の表示部に表示されることで閲覧者によって閲覧される（ステップｅ）。また、閲覧者が広告を閲覧した際には、評価要求手段（１４）から、閲覧した広告に対して評価を行うよう要求がなされ、閲覧者は閲覧した広告の評価を閲覧者入力手段（４１）から入力することで行う。
評価要求手段（１４）による評価の要求方法としては、例えば図５に示す如く、広告表示部（６１）の下部に評価ボタン（６２）を設け、閲覧者に広告の内容に応じて評価ボタンをクリックしてもらう方法を挙げることができる。この場合、評価ボタン（６２）が閲覧者入力手段（４１）の一部となる。なお、図５では、評価ボタン（６２）を「２（面白い）、１（少し面白い）、０（普通）、−１（少しつまらない）、−２（つまらない）」と設定して、閲覧者が選択できるようにしている。また、外観、内容、インパクト等の評価項目ごとに分けて評価するようにしてもよい。また、同時に広告に対するコメントを要求してもよい。
【００５３】
評価要求手段（１４）で得られた評価は、評価決定手段（１５）により集計され、総合的な評価（総合評価）が決定される（ステップｆ）。
そして、提供された広告は総合評価に応じて加工手段（１７）により加工される（ステップｇ）。例えば、評価に応じて順位付けがなされ、図６で示す如く、順位の高いものから順に公開するよう加工される。また、順位が一定以上のものを強調して公開することもできる。
提供された広告が評価に応じて加工されることにより、広告提供者は自己の評価を向上させたくなり、広告作成の意欲を惹起させることができる。そのため、公開される広告の質が向上することになる。また、広告の提供がさらに増える要因ともなる。
なお、評価決定手段（１５）により決定した総合評価は広告保存領域に保存されている広告と関連付けられて保存手段（１６）の評価保存領域に保存され、加工手段（１７）で広告を加工する際等に適宜読み出される。
【００５４】
また、ステップｅにおいて評価として削除の要否を要求して、その要求に応じて広告を削除するよう加工することもできる。削除を要求することにより、提供された広告内に商品を必要以上に誹謗中傷するような記載があったり、商品に関係ない記載があったりする場合、当該広告を削除することができる。削除を要求する方法としては、図５で示す如く、閲覧者が押すことのできる削除ボタン（６３）を設け削除ボタン（６３）の押された回数が一定数を超えた広告について削除する方法等を挙げることができる。この場合、警告ランプ（６４）を設けて、削除ボタン（６３）の押された回数に応じて、削除される危険性を示すこともできる。例えば、警告ランプ（６４）の色を削除ランプ（６３）の押された回数が増えるごとに青、黄、赤と変化させてもよい。
また、評価決定手段により得られた評価が一定点数以下になった場合に自動的に削除するように設定することもできる。これにより、評価の低い広告を淘汰することができ、評価の高い広告のみを残すことができるため、広告効果を向上させることができる。
また、依頼者に広告を削除する権限を与えることもできる。
【００５５】
また、削除した広告は依頼者端末（２）（依頼者送受信手段（２２））に送信するように設定してもよい。依頼者が削除した広告を分析することによって、商品に対するクレームの検証に役立ち、新商品の開発のデータとして利用することが可能だからである。
【００５６】
また、評価要求手段（１４）により評価を要求する際は、同時に閲覧者端末（４）の識別情報を取得するよう設定することが好ましい。閲覧者端末（４）の識別情報を得ることにより、特定の広告について一度評価を行った閲覧者か否かを識別することができるため、特定の閲覧者が同一の広告に何度も評価をすることで、自己の広告の評価を不当に上げたり、他人の広告の評価を不当に下げたりすることを防ぐことができる。なお、閲覧者の識別情報は保存手段（１６）の閲覧者識別情報保存領域に保存しておき、新たにサーバ（１）に接続した閲覧者端末（４）の識別情報と照合して、一度評価を行った閲覧者か否かを識別すればよい。
【００５７】
また、サーバ（１）は報酬決定手段（１８）により広告ごとに報酬を決定し、依頼者送受信手段（２２）に報酬の情報を送信することで、依頼者に決定した報酬を報告する（ステップｈ）。具体的には、報酬を決定する際は、広告保存領域に保存されている広告と総合評価保存領域に保存されている総合評価（点数や順位等）を読み出して報酬を決定する。
そして、報酬決定手段（１８）の決定に応じて、広告提供者に報酬が与えられる（ステップｉ）。これにより、広告提供者の広告作成意欲がさらに惹起されることとなる。具体的には、報酬決定手段（１８）が一定順位以上の広告について、その広告の広告提供者の識別情報とともに依頼者に報告し、広告提供者から報酬が与えられる。
報酬としては、現金、クーポン券、商品券、依頼者の商品等を挙げることができる。
なお、報酬を与えるのは依頼者でなくてもよく、依頼者を介さずにサーバ（１）の管理者から直接広告提供者に報酬を与えるようにしてもよい。管理者から報酬を与えることにより、依頼者は広告提供者に報酬を与える作業を行う必要がない。そのため、広告依頼した後の依頼者の作業を軽減することができ、人件費等の削減にもつながる。また管理者が報酬を与えることにより、報酬決定手段（１８）により決定した広告を依頼者へ報告する作業（ステップｈ）も省くことができ、作業の効率化を図ることもできる。さらに、サーバ（１）の保存手段（１６）に決定した報酬や実際に報酬を与えたか否か等の情報を保存することで、報酬に関する情報の管理を一元化することができ、作業をより効率化することができる。
また、一定期間ごとに一定評価以上の者に抽選で報酬を与えるようにしてもよい。報酬を与える広告提供者を抽選で決定することにより、上位になれば必ず報酬が与えられるわけではないため、評価を上位にして報酬を得る目的で、広告提供者自身が自己の作成した広告を何度も閲覧して自己の広告の評価を高めようとすることを防ぐことができる。さらに、報酬が与えられるのは一定評価以上の者のみであるため、報酬を与えることにより生じる広告作成意欲が惹起されるという効果は失われない。
【００５８】
一方、報酬決定手段（１８）が登録商品以外の商品に対する広告について報酬の決定を行わず、登録商品以外の広告には報酬を与えないことが好ましい。これにより、登録商品以外の商品については広告作成意欲が惹起されにくくなるため、登録商品の広告に比して広告の質が低下し、登録商品とそれ以外の商品で広告効果に大きな差が生じる。そのため、登録商品以外を取扱う業者に自己の商品の広告依頼を促す要因となる。
【００５９】
また、加工手段（１７）が、広告について提供されてから一定期間以上経過したものを保存手段（１６）の広告保存領域から削除することが好ましい。これにより、古い広告は削除されていくので、保存手段（１６）の容量を長期間確保することができる。
また、登録商品に対する広告については、一定期間以上経過した時点の評価決定手段（１５）により得られた総合的な評価が一定以下の場合にのみ削除することように設定することが好ましい。これにより、評価の高い広告（総合評価が一定以上の広告）を長い期間残すことができ、広告効果を高い状態で維持することができる。
一方、登録商品以外の商品に対する広告については、登録商品の広告が削除される期間よりも短い時間で全て削除されることが好ましい。これにより、質のよい広告を提供しても、比較的早く削除されることとなり、広告提供者の登録商品以外の商品に対する広告提供意欲が低下し、登録商品の広告に比して質が低くなる。そのため、登録商品とそれ以外の商品で広告効果に大きな差が生じ、登録商品以外を取扱う業者に対して、自己の商品の広告依頼を促す要因となる。
【００６０】
また、図２には示していないが、送信手段（１９）により、評価決定手段（１５）で得られた総合評価に基づき、広告提供者端末（３）から提供された広告のうちから特定の広告が選別され、代理公開端末（５）に送信される。そして、送信された広告は代理公開端末受信手段（５１）で受信され、代理公開手段（５２）により公開される（ステップｊ）。
具体的には、保存手段（１６）総合評価保存領域から総合評価を読み出し、総合評価が上位の広告のうちの特定の広告を代理公開端末に送信する。これにより、閲覧者の関心の高い広告をサーバだけでなく、他の端末（代理公開端末（５））でも公開することができ、広告効果をより高くすることができる。
【００６１】
また、送信手段（１９）により送られ、代理公開手段（５２）で公開される広告を、その商品の依頼者の依頼者端末（２）とリンクするバナー広告としてもよい。バナー広告とはＷｅｂサイトに商品の広告の画像を貼り、画像をクリックすることで、広告の対象となる商品が掲載されたＷｅｂサイト（依頼者端末（２））にリンクさせて、広告を行う手法である。
バナー広告にすることにより、広告をみてより詳しい情報を知りたい場合は、広告の対象となる商品の詳しい情報を掲載している依頼者端末（２）に容易に接続することができる。
【００６２】
また、代理公開端末（５）は依頼者端末（２）と同一の端末であってもよい。つまり、依頼者が広告依頼を行った登録商品の広告のうち、送信手段（１９）により選別された広告を依頼者端末（２）（代理公開端末（５））に送信することにより、自社の商品の広告を自社の端末で公開することができる。
【００６３】
なお、上記説明ではステップａ〜ｊが順番に行われるものとして示したが、ステップａ〜ｊは必ずしも順番に行われているわけではなく、設定等に応じて適宜各々のステップが行われる。
【産業上の利用可能性】
【００６４】
本発明に係る広告公開システム、広告提供方法及び広告提供プログラムは、商品の広告を行うために好適に利用可能である。
【図面の簡単な説明】
【００６５】
【図１】本発明に係る広告公開システムの実施例を示すシステム構成図である。
【図２】広告提供方法を示すフロー図である。
【図３】商品を選択する際の操作を説明するための説明図である。
【図４】商品を選択する際の操作を説明するため他の説明図である。
【図５】広告を公開した画面の例を示す図である。
【図６】広告を公開した画面の他の例を示す図である。
【符号の説明】
【００６６】
１          サーバ
１２        受信手段
１３        公開手段
１４        評価要求手段
１５        評価決定手段
１７        加工手段
１８        報酬決定手段
１９        送信手段
３          広告提供者端末
４          閲覧者端末
５          代理公開端末
１００      広告公開システム
【図１】
2009015593.tif 000003
【図２】
2009015593.tif 000004
【図３】
2009015593.tif 000005
【図４】
2009015593.tif 000006
【図５】
2009015593.tif 000007
【図６】
2009015593.tif 000008